(57)【要約】  ＴＴＩの異なる少なくとも２つのキャリアを使用する移動通信システムにおいて、基地局と通信を行うユーザ装置において、前記ユーザ装置が前記基地局との通信を行わない期間であるギャップを設定するギャップ制御手段を備え、前記ギャップ制御手段は、前記２つのキャリアのうちの一方のキャリアに対して設定するギャップと共通のギャップを、前記２つのキャリアのうちの他方のキャリアに対するギャップとして設定するように構成されている。
2017033568.tif 000002
【特許請求の範囲】
【請求項１】
ＴＴＩの異なる少なくとも２つのキャリアを使用する移動通信システムにおいて、基地局と通信を行うユーザ装置であって、
前記ユーザ装置が前記基地局との通信を行わない期間であるギャップを設定するギャップ制御手段を備え、
前記ギャップ制御手段は、前記２つのキャリアのうちの一方のキャリアに対して設定するギャップと共通のギャップを、前記２つのキャリアのうちの他方のキャリアに対するギャップとして設定する
ことを特徴とするユーザ装置。
【請求項２】
前記ギャップ制御手段は、前記２つのキャリアのうちＴＴＩの長い方のキャリアに対して設定するギャップと共通のギャップを、前記２つのキャリアのうちＴＴＩの短い方のキャリアに対するギャップとして設定する
請求項１に記載のユーザ装置。
【請求項３】
前記ユーザ装置は、ギャップの期間中に所定のキャリアの測定を実施する測定手段を備え、
前記ギャップ制御手段により設定されたギャップにおいて、前記測定手段が、測定を実行し、当該ギャップの期間が経過する前に当該測定を完了した時点で、前記ギャップ制御手段が当該ギャップを終了する
請求項２に記載のユーザ装置。
【請求項４】
前記ユーザ装置は、ギャップの期間中に所定のキャリアの測定を実施する測定手段を備え、
前記ギャップ制御手段により設定されたギャップにおいて、前記測定手段は、複数の測定対象の測定を実行する
請求項２に記載のユーザ装置。
【請求項５】
前記ギャップ制御手段は、前記２つのキャリアのうちＴＴＩの短い方のキャリアに対して設定するギャップと共通のギャップを、前記２つのキャリアのうちＴＴＩの長い方のキャリアに対するギャップとして設定する
請求項１に記載のユーザ装置。
【請求項６】
ＴＴＩの異なる少なくとも２つのキャリアを使用する移動通信システムにおいて、基地局と通信を行うユーザ装置であって、
前記ユーザ装置が前記基地局との通信を行わない期間であるギャップを設定するギャップ制御手段を備え、
前記ギャップ制御手段は、前記２つのキャリアのうちの一方のキャリアに対するギャップ設定指示を前記基地局から受信する場合に、当該ギャップ設定指示に基づいて、前記２つのキャリアのうちの他方のキャリアに対するギャップを設定する
ことを特徴とするユーザ装置。
【請求項７】
前記２つのキャリアにおける一方のキャリアに対するギャップの開始端と終了端のうちの少なくとも１つの端が、他方のキャリアにおけるＴＴＩの境界と一致しない場合において、前記ギャップ制御手段は、前記他方のキャリアにおけるＴＴＩのうち前記ギャップの端を含むＴＴＩの全体を前記基地局との通信を行わない期間とする
請求項１ないし６のうちいずれか１項に記載のユーザ装置。
【請求項８】
ＴＴＩの異なる少なくとも２つのキャリアを使用する移動通信システムにおいて、基地局と通信を行うユーザ装置が実行するギャップ設定方法であって、
前記ユーザ装置が前記基地局との通信を行わない期間であるギャップを設定するステップを備え、
前記ステップにおいて、前記ユーザ装置は、前記２つのキャリアのうちの一方のキャリアに対して設定するギャップと共通のギャップを、前記２つのキャリアのうちの他方のキャリアに対するギャップとして設定する
ことを特徴とするギャップ設定方法。
【請求項９】
ＴＴＩの異なる少なくとも２つのキャリアを使用する移動通信システムにおいて、基地局と通信を行うユーザ装置が実行するギャップ設定方法であって、
前記ユーザ装置が前記基地局との通信を行わない期間であるギャップを設定するステップを備え、
前記ステップにおいて、前記ユーザ装置は、前記２つのキャリアのうちの一方のキャリアに対するギャップ設定指示を前記基地局から受信する場合に、当該ギャップ設定指示に基づいて、前記２つのキャリアのうちの他方のキャリアに対するギャップを設定する
ことを特徴とするギャップ設定方法。
【請求項１０】
ＴＴＩの異なる少なくとも２つのキャリアを使用する移動通信システムにおいて、ユーザ装置と通信を行う基地局であって、
前記ユーザ装置が前記基地局との通信を行わない期間であるギャップに関する指示を前記ユーザ装置に送信するギャップ指示手段を備え、
前記ギャップ指示手段は、前記ユーザ装置に対して、第１のギャップ動作又は第２のギャップ動作の指示を送信し、
前記ユーザ装置は、前記第１のギャップ動作の指示を受信した場合に、前記２つのキャリアのうちＴＴＩの長い方のキャリアに対して設定するギャップと共通のギャップを、前記２つのキャリアのうちＴＴＩの短い方のキャリアに対するギャップとして設定し、
前記ユーザ装置は、前記第２のギャップ動作の指示を受信した場合に、前記２つのキャリアのうちＴＴＩの短い方のキャリアに対して設定するギャップと共通のギャップを、前記２つのキャリアのうちＴＴＩの長い方のキャリアに対するギャップとして設定する
ことを特徴とする基地局。
【発明の詳細な説明】
【技術分野】
【０００１】
本発明は、移動通信システムにおいて測定等に使用されるギャップ（ＧＡＰ）の設定に関連するものである。
【背景技術】
【０００２】
ＬＴＥ等の移動通信システムにおいては、ユーザ装置ＵＥをより品質の良いセルへ接続させるために、或いはロードバランシング等の目的のために、ユーザ装置ＵＥに対してＲＲＣ信号による測定指示を行うことで無線品質の測定をさせている（例えば非特許文献１）。【０００３】
ユーザ装置ＵＥは、通信している周波数とは異なる周波数の無線品質を測定する際に、受信周波数を該当周波数に合わせるためにＲＦ  ｔｕｎｉｎｇ（無線チューニング）をする必要があり、その際に、現状の通信を一旦中断する必要がある。通信を中断する当該期間はＭｅａｓｕｒｅｍｅｎｔ  ｇａｐ（以下、ギャップ）と呼ばれる。ギャップの期間においてユーザ装置ＵＥはＤＬ信号の受信及びＵＬ信号の送信を行わない。ギャップは、基地局ｅＮＢから受信する測定設定情報（Ｍｅａｓｕｒｅｍｅｎｔ  ｃｏｎｆｉｇｕｒａｔｉｏｎ）により、周期的に訪れるように設定がなされる。【０００４】
また、基地局ｅＮＢにおいては、ユーザ装置ＵＥがどのタイミングでＭｅａｓｕｒｅｍｅｎｔを実施するかを把握しているため、該当する期間はＤＬ／ＵＬスケジューリングを停止することとしている。【０００５】
Ｒｅｌ−１０以降、複数のＣＣ（コンポーネントキャリア）を束ねてスループットを向上させるＣＡ（Ｃａｒｒｉｅｒ  ａｇｇｒｅｇａｔｉｏｎ）及びＤＣ（Ｄｕａｌ  ｃｏｎｎｅｃｔｉｖｉｔｙ）が導入されたが、３ＧＰＰ上、ＣＡ／ＤＣ時にはユーザ装置ＵＥは単一のギャップ設定を全てのＣＣに適用することとされている。すなわち、複数のＣＣに対応するＰＣｅｌｌとＳＣｅｌｌからなる構成を示す図１に記載のように、ギャップ期間においてユーザ装置ＵＥは全てのＣＣでＤＬ受信／ＵＬ送信を中断する。これは、ＣＣ毎にギャップを規定すると、ユーザ装置ＵＥの実装が複雑になるためである。【０００６】
ところで、既存移動通信システムと比較して、移動通信に要求される飛躍的に高いシステム性能を実現するため、第５世代と呼ばれる新しい次世代移動通信システム（以下、５Ｇ）の検討が進められている。５Ｇでは要求されるサービスの高度化及び多様化、予測されるトラフィックの飛躍的な増大を考慮し、大容量化、データ伝送速度の高速化、低遅延化、多数の端末の同時接続及び低コスト省電力化と言った複数の目標性能が掲げられており、既存移動通信システムでは達成不可能な様々な要求条件をクリアすることが望まれている。【０００７】
なお、既存移動通信システムとはＲｅｌ−８以降にて規定されたＬＴＥやＲｅｌ−１０以降で規定されたＬＴＥ−Ａｄｖａｎｃｅｄを意図するが、以下では総称して４Ｇと記載する。【０００８】
５Ｇでは４Ｇと比較して飛躍的な性能改善を行ってこれらの目標性能を実現するため、主に既存周波数帯での運用を想定した４Ｇ技術を発展させたｅｎｈａｎｃｅｄ  ＬＴＥ  ＲＡＴ（無線アクセス技術：Ｒａｄｉｏ  Ａｃｃｅｓｓ  Ｔｅｃｈｎｏｌｏｇｙ）と、主に既存周波数帯よりも高い周波数帯での運用を想定したｎｅｗ  ＲＡＴが検討されており、これらの組み合わせによる飛躍的な発展の実現が期待されている。
【先行技術文献】
【非特許文献】
【０００９】
【非特許文献１】３ＧＰＰ  ＴＳ  ３６．３３１  Ｖ１２．６．０  （２０１５−０６）
【非特許文献２】３ＧＰＰ  ＴＳ  ３６．１３３  Ｖ１２．８．０  （２０１５−０７）
【発明の概要】
【発明が解決しようとする課題】
【００１０】
５Ｇの要求条件の一つである低遅延化の実現に向け、５Ｇでは４Ｇよりも短いＲＴＴ（Ｒｏｕｎｄ  Ｔｒｉｐ  Ｔｉｍｅ）を実現するために４Ｇと比較してＴＴＩ（Ｔｒａｎｓｍｉｓｓｉｏｎ  Ｔｉｍｅ  Ｉｎｔｅｒｖａｌ）を短くすることが想定されている。【００１１】
５Ｇ導入初期は５Ｇ単独での運用ではなく、４Ｇと連携した運用が想定されている。この為、ユーザ装置ＵＥは異なるＴＴＩ長のシステムと同時に通信する必要が想定されている。例えば、４Ｇ／５Ｇ間でのＣＡやＤＣが例として考えられ、この場合、ユーザ装置ＵＥはＴＴＩの異なるＣＣを同時に利用して通信を行うことが想定される。【００１２】
しかしながら、現状のｍｅａｓｕｒｅｍｅｎｔに関する規定は単一のＴＴＩでの運用を前提としている。すなわち、異なるＴＴＩが混在する運用におけるｍｅａｓｕｒｅｍｅｎｔ動作は保証されておらず、そのような場合に適切に運用ができない可能性がある。【００１３】
例えば、また、現状のギャップに関する規定はＴＴＩを基準として種々の条件が決定されるが、異なるＴＴＩが混在する運用の場合、ユーザ装置ＵＥがどのＴＴＩを基準にするかが不明であり、結果としてユーザ装置ＵＥとＮＷ間でのギャップ設定に関する認識違いが生じ得る。【００１４】
また、ＴＴＩが短い場合において、目的に応じた測定に必要な期間自体がＴＴＩが長い場合のそれよりも短くなると考えられため、現状のｍｅａｓｕｒｅｍｅｎｔに関する規定では効率的なｍｅａｓｕｒｅｍｅｎｔが実施できない可能性がある。【００１５】
本発明は上記の点に鑑みてなされたものであり、異なるＴＴＩが混在する移動通信システムにおいて、適切にギャップを設定することを可能とする技術を提供することを目的とする。
【課題を解決するための手段】
【００１６】
本発明の実施の形態によれば、ＴＴＩの異なる少なくとも２つのキャリアを使用する移動通信システムにおいて、基地局と通信を行うユーザ装置であって、
前記ユーザ装置が前記基地局との通信を行わない期間であるギャップを設定するギャップ制御手段を備え、
前記ギャップ制御手段は、前記２つのキャリアのうちの一方のキャリアに対して設定するギャップと共通のギャップを、前記２つのキャリアのうちの他方のキャリアに対するギャップとして設定する
ことを特徴とするユーザ装置が提供される。【００１７】
また、本発明の実施の形態によれば、ＴＴＩの異なる少なくとも２つのキャリアを使用する移動通信システムにおいて、基地局と通信を行うユーザ装置であって、
前記ユーザ装置が前記基地局との通信を行わない期間であるギャップを設定するギャップ制御手段を備え、
前記ギャップ制御手段は、前記２つのキャリアのうちの一方のキャリアに対するギャップ設定指示を前記基地局から受信する場合に、当該ギャップ設定指示に基づいて、前記２つのキャリアのうちの他方のキャリアに対するギャップを設定する
ことを特徴とするユーザ装置が提供される。【００１８】
また、本発明の実施の形態によれば、ＴＴＩの異なる少なくとも２つのキャリアを使用する移動通信システムにおいて、基地局と通信を行うユーザ装置が実行するギャップ設定方法であって、
前記ユーザ装置が前記基地局との通信を行わない期間であるギャップを設定するステップを備え、
前記ステップにおいて、前記ユーザ装置は、前記２つのキャリアのうちの一方のキャリアに対して設定するギャップと共通のギャップを、前記２つのキャリアのうちの他方のキャリアに対するギャップとして設定する
ことを特徴とするギャップ設定方法が提供される。【００１９】
また、本発明の実施の形態によれば、ＴＴＩの異なる少なくとも２つのキャリアを使用する移動通信システムにおいて、基地局と通信を行うユーザ装置が実行するギャップ設定方法であって、
前記ユーザ装置が前記基地局との通信を行わない期間であるギャップを設定するステップを備え、
前記ステップにおいて、前記ユーザ装置は、前記２つのキャリアのうちの一方のキャリアに対するギャップ設定指示を前記基地局から受信する場合に、当該ギャップ設定指示に基づいて、前記２つのキャリアのうちの他方のキャリアに対するギャップを設定する
ことを特徴とするギャップ設定方法が提供される。【００２０】
また、本発明の実施の形態によれば、ＴＴＩの異なる少なくとも２つのキャリアを使用する移動通信システムにおいて、ユーザ装置と通信を行う基地局であって、
前記ユーザ装置が前記基地局との通信を行わない期間であるギャップに関する指示を前記ユーザ装置に送信するギャップ指示手段を備え、
前記ギャップ指示手段は、前記ユーザ装置に対して、第１のギャップ動作又は第２のギャップ動作の指示を送信し、
前記ユーザ装置は、前記第１のギャップ動作の指示を受信した場合に、前記２つのキャリアのうちＴＴＩの長い方のキャリアに対して設定するギャップと共通のギャップを、前記２つのキャリアのうちＴＴＩの短い方のキャリアに対するギャップとして設定し、
前記ユーザ装置は、前記第２のギャップ動作の指示を受信した場合に、前記２つのキャリアのうちＴＴＩの短い方のキャリアに対して設定するギャップと共通のギャップを、前記２つのキャリアのうちＴＴＩの長い方のキャリアに対するギャップとして設定する
ことを特徴とする基地局が提供される。
【発明の効果】
【００２１】
本発明の実施の形態によれば、異なるＴＴＩが混在する移動通信システムにおいて、適切にギャップを設定することが可能となる。
【図面の簡単な説明】
【００２２】
【図１】ＣＡ／ＤＣにおけるＭｅａｓｕｒｅｍｅｎｔ  ｇａｐを説明するための図である。
【図２】本発明の実施の形態における通信システムの構成例を示す図である。
【図３】本発明の実施の形態における通信システムの構成例を示す図である。
【図４】ギャップに関する通信システムの動作例を示す図である。
【図５】動作例１を説明するための図である。
【図６】動作例２のオプション１の例を説明するための図である。
【図７】動作例２のオプション２の例を説明するための図である。
【図８】ＴＴＩが短い方のＣＣとＴＴＩの長い方のＣＣのＴＴＩのタイミングが一致していない場合の例を示す図である。
【図９】ＴＴＩが短い方のＣＣに基づくギャップの開始／終了端がＴＴＩの長い方のＣＣのＴＴＩの開始／終了端と一致しない場合の例を示す図である。
【図１０】ＴＴＩが短い方のＣＣに基づくギャップの大きさが、ＴＴＩの長い方のＣＣのＴＴＩの大きさの整数倍と一致しない場合の例を示す図である。
【図１１】ＴＴＩの短い方のＣＣのＴＴＩの整数倍が、ＴＴＩの長い方のＣＣのＴＴＩと一致しない場合の例を示す図である。
【図１２】動作例１、２に対する変形例１を説明するための図である。
【図１３】ｔｏｔａｌ  ｉｎｔｅｒｒｕｐｔｉｏｎ  ｔｉｍｅの例を示す図である。
【図１４】動作例１、２に対する変形例２を説明するための図である。
【図１５】動作例１、２に対する変形例２を説明するための図である。
【図１６】動作例３においてギャップの開始タイミングが揃うようにＮＷから指示をされた場合の例を示す図である。
【図１７】動作例３においてギャップの全く重ならないようにＮＷから指示をされた場合の例を示す図である。
【図１８】動作例４を説明するための図である。
【図１９】動作例５を説明するための図である。
【図２０】本発明の実施の形態におけるユーザ装置ＵＥの構成図である。
【図２１】ユーザ装置ＵＥのＨＷ構成図である。
【図２２】本発明の実施の形態における基地局ｅＮＢの構成図である。
【図２３】基地局ｅＮＢのＨＷ構成図である。
【発明を実施するための形態】
【００２３】
以下、図面を参照して本発明の実施の形態を説明する。以下で説明する実施の形態は一例に過ぎず、本発明が適用される実施の形態は、以下の実施の形態に限られるわけではない。例えば、本実施の形態に係る移動通信システムは４Ｇ及び５Ｇに準拠した方式のシステムを想定しているが、本発明は４Ｇ及び５Ｇに限定されるわけではなく、他の方式にも適用可能である。
【００２４】
また、本実施の形態におけるＣＡ（キャリアアグリゲーション）の用語は、Ｉｎｔｒａ−ｅＮＢ  ＣＡのみならず、ＤＣ（Ｄｕａｌ  ｃｏｎｎｅｃｔｉｖｉｔｙ）のようなＩｎｔｅｒ−ｅＮＢ  ＣＡの意味も含む。これらを区別する場合、Ｉｎｔｒａ−ｅＮＢ  ＣＡについては基地局内ＣＡと呼び、Ｉｎｔｅｒ−ｅＮＢ  ＣＡについてはＤＣ又は基地局間ＣＡと呼ぶ。ただし、「ＣＡ」が「ＤＣ」を含むことを示すためにＣＡ／ＤＣという表記を使用する場合もある。
【００２５】
また、本実施の形態では、ＣＣ（コンポーネントキャリア）とセルは基本的に同義と考えてよく、ＣＣをセル（より具体的にはサービングセル）と称してもよい。
【００２６】
（システム全体構成、動作概要）
図２に本実施の形態に係る通信システムの構成図を示す。本実施の形態に係る通信システムは、図２に示すように、ユーザ装置ＵＥ、及び基地局ｅＮＢを含む。当該通信システムは、基地局内ＣＡをサポートしている。以下では、「ユーザ装置ＵＥ」をＵＥと表記し、「基地局ｅＮＢ」をｅＮＢと表記する。
【００２７】
図２には、ＵＥ、及びｅＮＢが１つずつ示されているが、これは例であり、それぞれ複数であってもよい。また、基地局内ＣＡを適用する場合、ｅＮＢが単独で複数セルを形成することもできるし、例えば遠隔にＲＲＥ（遠隔無線装置）を接続することで、ｅＮＢ本体とＲＲＥとで複数セルを形成することもできる。
【００２８】
ＣＡが行われる際には、ＵＥに対して、接続性を担保する信頼性の高いセルであるＰＣｅｌｌ（Ｐｒｉｍａｒｙ  ｃｅｌｌ）及び付随的なセルであるＳＣｅｌｌ（Ｓｅｃｏｎｄａｒｙ  ｃｅｌｌ）が設定される。ＵＥは、第１に、ＰＣｅｌｌに接続し、必要に応じて、ＳＣｅｌｌを追加することができる。ＰＣｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートする単独のセルと同様のセルである。ＳＣｅｌｌの追加及び削除は、ＲＲＣ（Ｒａｄｉｏ  Ｒｅｓｏｕｒｃｅ  Ｃｏｎｔｒｏｌ）シグナリングによって行われる。
【００２９】
図３は、本実施の形態においてＤＣを行う場合における通信システムの構成図である。図３に示すように、この場合、基地局ＭｅＮＢ（以下、ＭｅＮＢ）と基地局ＳｅＮＢ（以下、ＳｅＮＢ）を備え、ＵＥとの間でＤＣを可能としている。また、ＭｅＮＢとＳｅＮＢとの間は、例えばＸ２インターフェースにより通信可能である。
【００３０】
ＤＣにおいて、ＭｅＮＢ配下のセル（１つ又は複数）で構成されるセルグループをＭＣＧ（Ｍａｓｔｅｒ  Ｃｅｌｌ  Ｇｒｏｕｐ、マスターセルグループ）、ＳｅＮＢ配下のセル（１つ又は複数）で構成されるセルグループをＳＣＧ（Ｓｅｃｏｎｄａｒｙ  Ｃｅｌｌ  Ｇｒｏｕｐ、セカンダリセルグループ）と呼ぶ。ＭＣＧ内にＰＣｅｌｌが設定される。また、ＳＣＧのうちの少なくとも１つのＳＣｅｌｌにＵＬのＣＣが設定され、そのうちの１つにＰＵＣＣＨが設定される。このＳＣｅｌｌをＰＳＣｅｌｌ（ｐｒｉｍａｒｙ  ＳＣｅｌｌ）と呼ぶ。
【００３１】
本実施の形態では、図２、図３のいずれの場合でも、異なるＴＴＩが混在する環境が形成されるものとする。「異なるＴＴＩが混在する環境」とは、例えば、４Ｇ−ＴＴＩのＣＣと５Ｇ−ＴＴＩのＣＣとでＣＡを行う環境である。この場合の「５Ｇ」は、ｅｎｈａｎｃｅｄ  ＬＴＥ  ＲＡＴでもよいし、ｎｅｗ  ＲＡＴでもよい。
【００３２】
また、「異なるＴＴＩが混在する環境」が、５Ｇ（ｅｎｈａｎｃｅｄ  ＬＴＥ  ＲＡＴ）−ＴＴＩのＣＣと、５Ｇ（ｎｅｗ  ＲＡＴ）−ＴＴＩのＣＣとでＣＡを行う環境であってもよい。
【００３３】
また、「異なるＴＴＩが混在する環境」は、４Ｇ−ＴＴＩのＣＣ、５Ｇ（ｅｎｈａｎｃｅｄ  ＬＴＥ  ＲＡＴ）−ＴＴＩのＣＣ、５Ｇ（ｎｅｗ  ＲＡＴ）−ＴＴＩのＣＣが混在している環境でもよいし、ＣＡ／ＤＣ以外の技術を用いて混在させる場合を指してもよい。
【００３４】
また、「異なるＴＴＩが混在する環境」は、同一ＲＡＴ内で異なるＴＴＩのＣＣが混在する場合を指してもよいし、異なるＲＡＴ間で異なるＴＴＩのＣＣが混在する場合を指してもよい。更に、「異なるＴＴＩが混在する環境」は、あるＣＣのＴＴＩが時間で変動する場合において、一時的に異なるＴＴＩのＣＣが混在する場合を指してもよい。なお、混在するＴＴＩの種類は２つでも良いし、３つ以上でもよい。
【００３５】
また、本実施の形態におけるギャップ（ＧＡＰ）は、測定対象を測定するために設けられる期間を指してもよいし、ＵＥにおける送信と受信の少なくとも一方が禁止される期間を指してもよい。
【００３６】
ギャップが「測定対象を測定するために設けられる期間」である場合において、当該測定対象とは、同一ＲＡＴ内の通信中の周波数以外の周波数のセルでもよいし、通信中のＲＡＴ以外のＲＡＴのセルでもよい。また、測定対象が、Ｃｅｌｌ  ＩＤ等で一意に識別されるセル構成のものでなくてもよい。
【００３７】
また、本実施の形態における「ＴＴＩ」は、スケジューリングの最小時間単位であり、ＴＴＩの期間を「サブフレーム」と呼んでもよい。サブフレーム毎にスケジューリングで選択されたＵＥへリソース（例：ＲＢ（リソースブロック））が割り当てられる。
【００３８】
ここで、本実施の形態では、主にＭｅａｓｕｒｅｍｅｎｔのためのギャップに関する処理動作を説明することから、Ｍｅａｓｕｒｍｅｎｔに関する基本的な動作例（例として４Ｇの動作例）を図４を参照して説明する。図４は、図２の構成に関する動作を示すが、図３の構成でもＭｅＮＢ（ＳｅＮＢでもよい）により同様の動作が実行される。
【００３９】
まず、ｅＮＢがＵＥに対してギャップ設定を行う（ステップＳ１０１）。より具体的には、当該設定は、例えばＲＲＣＣｏｎｎｅｃｔｉｏｎＲｅｃｏｎｆｉｇｕｒａｔｉｏｎメッセージにおけるＭｅａｓｕｒｍｅｎｔ  Ｃｏｎｆｉｇｕｒａｔｉｏｎの情報要素（ｍｅａｓＧａｐＣｏｎｆｉｇ）によりなされる。ギャップの時間長は例えば６ｍｓ（４Ｇ−ＴＴＩでの６サブフレーム）であり、ｍｅａｓＧａｐＣｏｎｆｉｇにより、周期（ギャップパターン、例えば４０ｍｓもしくは８０ｍｓ）とオフセット（ｇａｐＯｆｆｓｅｔ）が指定される。
【００４０】
ギャップ設定がされたＵＥは、設定に従ってギャップを適用する（ステップＳ１０２）。なお、ＵＥ内でギャップを適用することを「ギャップを設定する」と称してもよい。より詳細には、ＵＥは、上記の周期（ＭＧＲＰ）とオフセットから算出されるＳＦＮ／サブフレーム番号から開始するギャップにおいてＤＬ及びＵＬ送受信を中断する動作を行う。ＵＥはギャップの期間中に測定を行い（ステップＳ１０３）、測定報告（Ｍｅａｓｕｒｅｍｅｎｔ  ｒｅｐｏｒｔ）を送信する（ステップＳ１０４）。
【００４１】
以下、前述した課題を解決するための各動作例を説明する。以下の動作例では、一例として、「異なるＴＴＩが混在する環境」が、４Ｇ−ＴＴＩのＣＣと５Ｇ−ＴＴＩのＣＣとでＣＡを行う環境であるとしている。また、ギャップは、測定対象を測定するために設けられる期間であることを想定している。また、通信システムの構成は図２（基地局内ＣＡ）、図３（ＤＣ）のどちらでもよいが、動作例としては図２の構成を想定し、図３の場合でも同様であることを示すために、例えば"基地局から信号を送信する"場合、"ｅＮＢ（ＭｅＮＢ又はＳｅＮＢ）から信号を送信する"、といった表現を適宜用いることとする。
【００４２】
また、以下では、ＴＴＩの期間を「サブフレーム」と呼ぶ場合がある。なお、異なるＴＴＩのＣＣ間では、「サブフレーム」の長さも異なる。
【００４３】
また、以下では、異なるＴＴＩの数を２つとして説明しているが、異なるＴＴＩの数が３つ以上の場合でも、ある２つのＴＴＩ間において以下で説明する動作が行われる。
【００４４】
また、以下では、ＵＥ側の動作を中心に説明するが、各動作例において、ｅＮＢもＵＥと同様にギャップの設定を行い、当該ギャップの期間においてスケジューリングを行わないようにしている。
【００４５】
（動作例１）
動作例１では、ＵＥは、ＴＴＩの長い方のＣＣに対するギャップと共通のギャップをＴＴＩの短い方のＣＣに対するギャップとして設定する。
【００４６】
例えば、ＵＥとｅＮＢ（ＭｅＮＢ、ＳｅＮＢ）が、４Ｇ−ＣＣと５Ｇ−ＣＣを用いてＣＡを行う場合において、図５に示すように、ＵＥは、４ＧのＣＣに対して指定される期間（例：４Ｇ−ＴＴＩ×６）に合わせて５ＧのＣＣでもギャップを設定する。すなわち、ＵＥは、ＴＴＩの長い方のＣＣである４Ｇ−ＣＣにおけるＡ〜Ｂの期間をギャップとして設定する場合、５Ｇ−ＣＣにおいても同じＡ〜Ｂの期間をギャップ（通信を行わない期間）として設定する。
【００４７】
なお、動作例１において、５Ｇ−ＴＴＩは０．５ｍｓであるとしているが、これは一例に過ぎない。他の動作例についても、図示するＴＴＩ長は一例に過ぎない。
【００４８】
動作例１では、４Ｇでのｍｅａｓｕｒｅｍｅｎｔの特性が担保されるため、既存ＮＷ（４ＧのみのＮＷ）におけるｍｏｂｉｌｉｔｙ品質等と比較して、それらを劣化させることなく４Ｇ−ＣＣと５Ｇ−ＣＣを用いたＣＡが可能となる。
【００４９】
（動作例２）
次に、動作例２を説明する。動作例２において、ＵＥはＴＴＩの短い方のＣＣに対するギャップと共通のギャップをＴＴＩの長い方のＣＣに対するギャップとして設定する。
【００５０】
例えば、ＵＥとｅＮＢ（ＭｅＮＢ、ＳｅＮＢ）が、４Ｇ−ＣＣと５Ｇ−ＣＣを用いてＣＡを行う場合において、ＵＥは、５ＧのＣＣに対して指定される期間（例：５Ｇ−ＴＴＩ×６）に合わせて４ＧのＣＣでもギャップを設定する。
【００５１】
動作例２では、ＴＴＩが長い方のＣＣに関する動作として、オプション１とオプション２がある。
【００５２】
＜オプション１＞
オプション１では、ＵＥは、ＴＴＩの長い方のＣＣに対するギャップの期間（以下（１）とする）よりも、ＴＴＩの短い方のＣＣに対するギャップの期間（以下（２）とする）が短いことを検知した場合に、（１）のうち（２）に重ならない期間を、ＴＴＩが長いＣＣにおいてギャップと見なさないこととしている。ギャップと見なさない期間では、ＵＥは、ＵＬ送信／ＤＬ受信を行うことができる。
【００５３】
オプション１の具体例を図６に示す。図６に示す例において、ＵＥは、５ＧのＣＣに対して指定される期間（例：５Ｇ−ＴＴＩ×６）に合わせて４ＧのＣＣでもギャップを設定する。すなわち、ＵＥは、ＴＴＩの短い方のＣＣである５Ｇ−ＣＣにおけるＡ〜Ｂの期間をギャップに設定する場合、４Ｇ−ＣＣにおいても同じＡ〜Ｂの期間をギャップに設定する。そして、例えば、４Ｇ−ＣＣに対してＡ〜Ｃの期間がギャップに設定されていたとしても、ＵＥは、Ｂ〜Ｃの期間をギャップと見なさない。
【００５４】
＜オプション２＞
オプション１で説明した前提において、オプション２では、ＵＥは、上記の（１）の期間のうち（２）の期間に重ならない期間をＴＴＩが長いＣＣにおけるギャップと見なす。
【００５５】
オプション２の具体例を図７に示す。図７に示す例においても、ＵＥは、ＴＴＩの短い方のＣＣである５Ｇ−ＣＣにおけるＡ〜Ｂの期間をギャップに設定する場合、４Ｇ−ＣＣにおいても同じＡ〜Ｂの期間をギャップに設定する。そして、ＵＥは、Ｂ〜Ｃの期間をギャップと見なす。従って、ＵＥは、Ｂ〜Ｃ期間において４Ｇ−ＣＣでの送受信を行わない。
【００５６】
オプション２の場合、オプション１と比べて、ＴＴＩが長いＣＣにおいて通信機会の減少につながるが、ＵＥにおいて、ＴＴＩが短いＣＣの有無にかかわらず、ＴＴＩが長いＣＣに対して同じ動作となるため、簡略な動作実装の実現が可能となる。
【００５７】
オプション１、２を含む動作例２によれば、ＵＥにおいて５Ｇに最適化されたギャップを設定できるため、５Ｇでの通信機会を最大化できる。よって、より高速な通信が可能となる。例えば、ＵＥが４Ｇセルの中心付近に存在し、４Ｇでのｍｏｂｉｌｉｔｙの為に測定を行う必要が無い場合、ｍｏｂｉｌｉｔｙ特性を劣化させることなくより高速な通信が可能となると考えられる。
【００５８】
（動作例１と動作例２の選択について）
ＵＥは、動作例１と動作例２のいずれの動作を実行するかを自律で決定してもよいし、ｅＮＢ（ＭｅＮＢ又はＳｅＮＢ）からの指示に基づいて決定することとしてもよい。
【００５９】
例えば、ＵＥは、ｅＮＢ（ＭｅＮＢ又はＳｅＮＢ）から特定の指示を受信した場合には当該指示に従って動作例１と動作例２のいずれの動作を実行するかを決定し、当該特定の指示を受信しない場合は自律で決定を行う。
【００６０】
ｅＮＢ（ＭｅＮＢ又はＳｅＮＢ）は、上記の指示を、ＲＲＣメッセージを用いて行ってもよいし、ＭＡＣ  ＣＥ、ＰＤＣＣＨ、もしくはその他の信号を用いて行ってもよい。
【００６１】
また、上記の指示は、明示的な指示でもよいし、暗示的な指示でもよい。明示的な指示としては、例えば、実行する動作（動作例１もしくは動作例２）を示す指示がある。
【００６２】
また、暗示的な指示として、例えば、ＵＥは、ｅＮＢ（ＭｅＮＢ又はＳｅＮＢ）から、４Ｇ−ＣＣと５Ｇ−ＣＣのうちの片方のギャップ設定情報のみを受信する場合（ｅＮＢが片方のギャップ設定情報のみを通知する場合）、受信したギャップ設定情報に対応するＣＣを基準にギャップを設定する。つまり、ＵＥは、ｅＮＢ（ＭｅＮＢ又はＳｅＮＢ）から４Ｇ−ＣＣに対するギャップ設定情報のみを受信する場合は動作例１の動作を行い、ｅＮＢ（ＭｅＮＢ又はＳｅＮＢ）から５Ｇ−ＣＣに対するギャップ設定情報のみを受信する場合は動作例２の動作を行う。
【００６３】
また、暗示的な指示として、例えば、ＵＥは、ｅＮＢ（ＭｅＮＢ又はＳｅＮＢ）から、４Ｇ−ＣＣと５Ｇ−ＣＣの両方のギャップ設定情報を受信する場合（ｅＮＢが両方のギャップ設定情報を通知する場合）、予め決められた基準に従ってギャップ設定を行う。「予め決められた基準」に関する一例として、ＵＥは、通知されたギャップ設定情報に対応する複数ＣＣの中で、ＴＴＩが最短のＣＣを基準にギャップ設定を行う（動作例２）、もしくは、ＴＴＩが最長のＣＣを基準にギャップ設定を行う（動作例１）。
【００６４】
ＵＥが自律で判断する場合は、判断の方法は特定の方法に限らないが、一例としては、測定対象とするセルのＴＴＩと同じ（もしくは最も近い）ＴＴＩのＣＣを基準にギャップ設定を行うことが考えられる。ＵＥが自律で判断を行った場合、ＵＥは、判断結果をｅＮＢ（ＭｅＮＢ又はＳｅＮＢ）に通知する。
【００６５】
（動作例１、２に対する変形例について）
動作例１、２ではＴＴＩが異なる全てのＣＣにおいて、ギャップの開始／終了端がＣＣ間で一致する。例えば、図５において、ギャップの開始端Ａは、４Ｇ−ＣＣと５Ｇ−ＣＣとで一致し、ギャップの終了端Ｂも、４Ｇ−ＣＣと５Ｇ−ＣＣとで一致している。しかし、ギャップの開始／終了端がＣＣ間で一致しない場合も存在する。なお、「一致」とは、厳密な意味での「一致」でなくてもよく、例えば所定閾値以下の近さであれば一致と見なしてよい。
【００６６】
ギャップの開始／終了端がＣＣ間で一致しない場合の例を図８〜図１１に示す。なお、図８〜図１１において、ＴＴＩが短い方のＣＣのギャップ（５Ｇ−ＧＡＰ）を基準にする場合を例に挙げているが、ＴＴＩが長い方のＣＣを基準にする場合も同様の事例が存在する。また、ＴＴＩのタイミングとは、ＵＥが受信する際のタイミングでも良いし、ｅＮＢが送信する際のタイミングでもよい。
【００６７】
図８は、ＴＴＩが短い方のＣＣとＴＴＩが長い方のＣＣのＴＴＩのタイミングが一致していない場合の例を示す。図８に示すように、５Ｇ−ＣＣのギャップの開始端Ａと、４Ｇ−ＣＣのＴＴＩ（サブフレーム）の開始端Ｂが一致していない。ギャップの終了端についても同様である。この例は、ＣＣ間の受信タイミングが同期していない非同期ＤＣを想定している。
【００６８】
図９は、ＴＴＩが短い方のＣＣに基づくギャップの開始／終了端がＴＴＩの長い方のＣＣのＴＴＩの開始／終了端と一致しない場合の例を示す。図９に示すように、５Ｇ−ＣＣのギャップの開始端Ａと、４Ｇ−ＣＣのＴＴＩの開始端Ｂ及び終了端Ｃのいずれも一致していない。ギャップの終了端についても同様である。
【００６９】
図１０は、ＴＴＩが短い方のＣＣに基づくギャップの大きさが、ＴＴＩの長い方のＣＣのＴＴＩの大きさの整数倍と一致しない場合の例である。例えば４Ｇ−ＣＣでのギャップの大きさが４Ｇ−ＴＴＩ×６（例：６ｍｓ）であるとすると、図１０の例では、５Ｇ−ＣＣでのギャップの大きさが５Ｇ−ＴＴＩ×５（例：２．５ｍｓ）であるので、５Ｇ−ＣＣでのギャップの大きさが４Ｇ−ＣＣでのＴＴＩの大きさの整数倍と一致しない。
【００７０】
図１１は、ＴＴＩの短い方のＣＣのＴＴＩの整数倍が、ＴＴＩの長い方のＣＣのＴＴＩと一致しない場合の例を示す。図１１に示すように、５Ｇ−ＣＣのＴＴＩが、４Ｇ−ＣＣのＴＴＩの半分よりも少し長いので、５Ｇ−ＣＣのＴＴＩの整数倍が、４Ｇ−ＣＣのＴＴＩと一致しない。
【００７１】
上記の各例のうち、例えば図９に示す場合において、動作例２を適用すると、ＵＥは、図９の４Ｇ−ＣＣにおけるＡ〜Ｄの期間をギャップとする。ギャップの開始端Ａは、４Ｇ−ＣＣのＢ〜ＣのＴＴＩの途中にあるため、例えば、ＵＥは、Ｂ〜Ａの期間で４Ｇ−ＣＣでのＵＬ送信／ＤＬ受信の割り当てを受けるが、Ａ〜Ｃのギャップのために、割り当てられたＵＬ送信／ＤＬ受信を行わないことが考えられる。そうすると、例えば、ｅＮＢ−ＵＥ間のＨＡＲＱ制御等に不具合が生じる可能性がある。４Ｇ−ＣＣのギャップの終了端側についても同様の問題が発生する可能性がある。このような問題は、上記の各例で説明したように、ＴＴＩの異なるＣＣ間でギャップの開始／終了端が一致しない場合全般で生じ得る。
【００７２】
そこで、変形例においては、ＴＴＩの異なるＣＣ間でギャップの開始／終了端が一致しない場合でも正常に通信を行うことを可能とする方法を用いている。具体的な例を変形例１、変形例２として以下で説明する。
【００７３】
＜動作例１、２に対する変形例１＞
変形例１では、ＵＥは、ＴＴＩの異なるＣＣ間で、部分的にギャップに重なるＴＴＩが存在することを検知すると、当該ＴＴＩが属するＣＣにおいて当該ＴＴＩ全体で通信を行わない。
【００７４】
動作例２に基づく変形例１の具体例を図１２を参照して説明する。動作例２をそのまま適用したとすると、４Ｇ−ＣＣにおけるＢ〜Ｅの期間がギャップとなるが、変形例１では、ＵＥは、４Ｇ−ＣＣにおけるＡ〜ＣのＴＴＩが、部分的にギャップに重なる（Ａ〜Ｃがギャップ端Ｂを含む）ことを検知するので、Ａ〜ＣのＴＴＩ全体を通信を行わない期間とする。Ｄ〜ＦのＴＴＩも同様に全体を通信を行わない期間とする。
【００７５】
なお、非特許文献２のＳｅｃｔｉｏｎ  ８には、図１３（ｂ）に示すように、非同期ＤＣにおいて、ＭＣＧ側のギャップと部分的に重なるＳＣＧ側のサブフレーム全体をｔｏｔａｌ  ｉｎｔｅｒｒｕｐｔｉｏｎ  ｔｉｍｅとすることが規定されている。変形例１における部分的にギャップに重なるＴＴＩが属するＣＣを上記規定におけるＳＣＧとみなして、当該規定を適用することで、変形例１における通信を行わない期間（図１２におけるＡ〜Ｆの期間）をｔｏｔａｌ  ｉｎｔｅｒｒｕｐｔｉｏｎ  ｔｉｍｅと見なしてもよい。
【００７６】
なお、変形例１の図１２に示す例では、ＴＴＩの短い方のＣＣのギャップを基準とする動作例２をベースとしているが、動作例１をベースとする場合でも同様である。つまり、短い方のＴＴＩの一部がギャップと重なる場合でも同様の動作を行うことができる。
【００７７】
＜動作例１、２に対する変形例２＞
変形例２では、ＵＥは、ＴＴＩの異なるＣＣ間で、部分的にギャップに重なるＴＴＩが存在することを検知すると、当該ＴＴＩが属するＣＣにおいて、当該ＴＴＩの中で、ギャップと重なっていないタイミングにおいて通信を行う。
【００７８】
動作例２に基づく変形例２の具体例を図１４、図１５を参照して説明する。図１４の例では、ギャップと重なっていない部分（図１４のＡ、Ｂで示すそれぞれの部分）を１つのＴＴＩと見なして通信を行う。この場合、ＵＥとｅＮＢ（ＭｅＮＢ又はＳｅＮＢ）は、通常のＴＴＩよりも小さい当該部分で正常に通信ができるように制御信号／データの送受信を行う。
【００７９】
図１５の例では、ギャップと重なっていない部分と当該部分に隣接するＴＴＩ（ギャップでないＴＴＩ）からなる期間（図１５のＡ、Ｂで示すそれぞれの部分）を１つのＴＴＩと見なして通信を行う。この場合、ＵＥとｅＮＢ（ＭｅＮＢ又はＳｅＮＢ）は、通常のＴＴＩよりも大きな期間を１ＴＴＩとして正常に通信ができるように制御信号／データの送受信を行う。
【００８０】
なお、変形例２の図１４、図１５に示す例では、ＴＴＩの短い方のＣＣのギャップを基準とする動作例２をベースとしているが、動作例１をベースとする場合でも同様である。つまり、短い方のＴＴＩの一部がギャップと重なる場合でも同様の動作を行うことができる。
【００８１】
変形例において、ＵＥは、ギャップの開始／終了端がＴＴＩ端と一致しないＣＣが存在する場合に、その旨をｅＮＢ（ＭｅＮＢ又はＳｅＮＢ）に対して通知することとしてもよい。前述したように、「一致」とは、ギャップの開始／終了端とＴＴＩ端との時間差が所定閾値以下の場合のことである。
【００８２】
＜変形例１と変形例２の選択について）
ＵＥは、変形例１と変形例２のいずれの動作を実行するかを自律で決定してもよいし、ｅＮＢ（ＭｅＮＢ又はＳｅＮＢ）からの指示に基づいて決定することとしてもよい。
【００８３】
例えば、ＵＥは、ｅＮＢ（ＭｅＮＢ又はＳｅＮＢ）から特定の指示を受信した場合には当該指示に従って変形例１と変形例２のいずれの動作を実行するかを決定し、当該特定の指示を受信しない場合は自律で決定を行う。
【００８４】
ｅＮＢ（ＭｅＮＢ又はＳｅＮＢ）は、上記の指示を、ＲＲＣメッセージを用いて行ってもよいし、ＭＡＣ  ＣＥ、ＰＤＣＣＨ、もしくはその他の信号を用いて行ってもよい。
【００８５】
また、上記の指示は、明示的な指示でもよいし、暗示的な指示でもよい。明示的な指示としては、例えば、実行する動作（変形例１もしくは変形例２）を示す指示がある。
【００８６】
また、暗示的な指示として、例えば、ＵＥは、ｅＮＢ（ＭｅＮＢ又はＳｅＮＢ）から、通常のＴＴＩの長さとは異なるＴＴＩ（前述した部分ＴＴＩ、部分＋隣接ＴＴＩ等）での通信ができる旨の通知を受けた場合に変形例２の動作を行い、当該通知を受けない場合に変形例１の動作を行うことが考えられる。
【００８７】
ＵＥが自律で判断する場合は、判断の方法は特定の方法に限らないが、一例としては、通常のＴＴＩの長さとは異なるＴＴＩ（前述した部分ＴＴＩ、部分＋隣接ＴＴＩ等）での通信ができる場合は変形例２の動作を行い、できない場合は変形例１の動作を行うことが考えられる。ＵＥが自律で判断を行った場合、ＵＥは、判断結果をｅＮＢ（ＭｅＮＢ又はＳｅＮＢ）に通知する。また、通常のＴＴＩの長さとは異なるＴＴＩで通信ができる旨の通知は、ギャップ開始側、終了側それぞれ別々に行ってもよいし、まとめて行ってもよい。
【００８８】
なお、本変形例で説明したＣＣ間のギャップとＴＴＩ間のずれに対する処理（変形例１、変形例２）については、動作例１、２に限らず、動作例３〜５にも適用可能である。
【００８９】
（動作例３）
次に、動作例３を説明する。動作例３では、ＵＥは異なるＴＴＩ毎に独立のギャップを設定する。
【００９０】
例えば、ＵＥとｅＮＢ（ＭｅＮＢ、ＳｅＮＢ）が、４Ｇ−ＣＣと５Ｇ−ＣＣを用いてＣＡを行う場合において、ＵＥは、４Ｇ−ＣＣと５Ｇ−ＣＣのそれぞれに対して指定される期間をそれぞれのギャップとして設定する。
【００９１】
より具体的には、ＵＥは、ｅＮＢ（ＭｅＮＢ、ＳｅＮＢ）から４Ｇ−ＣＣと５Ｇ−ＣＣのそれぞれに対するギャップ設定情報を受信する場合（ｅＮＢが４Ｇ−ＣＣと５Ｇ−ＣＣのそれぞれに対するギャップ設定情報を通知する場合）、４Ｇ−ＣＣのギャップ設定情報で４Ｇ−ＣＣのギャップを設定し、５Ｇ−ＣＣのギャップ設定情報で５Ｇ−ＣＣのギャップを設定する。
【００９２】
また、ＵＥは、ｅＮＢ（ＭｅＮＢ、ＳｅＮＢ）から４Ｇ−ＣＣと５Ｇ−ＣＣのうちのいずれかに対するギャップ設定情報を受信する場合（ｅＮＢが４Ｇ−ＣＣと５Ｇ−ＣＣのうちのいずれかに対するギャップ設定情報を通知する場合）、当該ギャップ設定情報に従って、当該ギャップ設定情報に対応するＣＣに対するギャップを設定するとともに、当該ギャップ設定情報に基づき、他方のＣＣのギャップを設定する。例えば、４Ｇ−ＣＣのみに対して４Ｇ−ＴＴＩ×６の長さのギャップを設定することを示すギャップ設定情報を受信したときに、５Ｇ−ＣＣに対して５Ｇ−ＴＴＩ×６の長さのギャップを設定する。
【００９３】
上記の例は片方のＣＣのギャップ設定情報におけるギャップのＴＴＩ数と同じＴＴＩ数のギャップを他方のＣＣで設定するという規則（ルール）に基づく。ただし、これは一例に過ぎない。
【００９４】
このように、ＵＥは、他方のＣＣのギャップを設定する場合、予め決められた規則に従い設定する。また、他方のＣＣのギャップを設定する際の規則として、上記のようなギャップの長さに関する規則に加えて、例えば、それぞれのギャップをできるだけ重なるように設定する規則を設けてもよい。また、それぞれのギャップを重ならないように（独立に）設定する規則としてもよい。また、一方のギャップ開始タイミングを元に、あらかじめ決められた方法に基づき算出されたタイミングから、他方のギャップを設定する規則としてもよい。
【００９５】
ここで、重なるように設定する場合、ギャップの先頭を揃えるようにしてもよいし、ギャップの後ろを揃えるようにしてもよいし、一方のギャップが他方のギャップに包含されるように設定してもよい。
【００９６】
また、ＵＥは、異なるＴＴＩのＣＣにおいて、どちらか一方のみのギャップ設定情報を受信した場合に、一方のギャップ設定情報に従って他方のギャップ設定を実施する動作を行い、その後に、他方のギャップ設定情報を受信した場合に、各ＣＣに対するギャップ設定情報に従って対応するＣＣのギャップ設定を行うこととしてもよい。なお、同一ＴＴＩ内でも独立にギャップを設定してもよい。
【００９７】
図１６、図１７に具体例を示す。図１６に示す例では、ＵＥが、一方のＣＣ（例：４Ｇ−ＣＣ）に対するギャップ設定情報を受信し、当該ギャップ設定情報に従って当該ＣＣ（例：４Ｇ−ＣＣ）に対するギャップ設定を行う。ここでは、６ＴＴＩ分のギャップを設定している。更に、ＵＥは、当該ギャップの開始タイミングと、開始タイミングが揃うように他方のＣＣ（５Ｇ−ＣＣ）に対するギャップを設定している。ここでは、上記ギャップ設定情報に基づき、６ＴＴＩ分（５Ｇでの６ＴＴＩ分）をギャップとしている。
【００９８】
開始タイミングが揃うように設定することに関しては、このようなルールがＵＥに予め設定されているとしてもよいし、ｅＮＢ（ＭｅＮＢ又はＳｅＮＢ）から指示がされることとしてもよい。
【００９９】
図１７に示す例では、ＵＥが、一方のＣＣ（例：４Ｇ−ＣＣ）に対するギャップ設定情報を受信し、当該ギャップ設定情報に従って当該ＣＣ（例：４Ｇ−ＣＣ）に対するギャップ設定を行う。ここでは、６ＴＴＩ分のギャップを設定している。更に、ＵＥは、当該ギャップと全く重ならないように他方のＣＣ（５Ｇ−ＣＣ）に対するギャップ（本例では５ＴＴＩ）を設定している。全く重ならないように設定を行うことに関しては、このようなルールがＵＥに予め設定されているとしてもよいし、ｅＮＢ（ＭｅＮＢ又はＳｅＮＢ）から指示がされることとしてもよい。
【０１００】
動作例３によれば、ＲＡＴ毎にｍｅａｓｕｒｅｍｅｎｔ目的や優先度が異なると想定されるため、異なるＴＴＩのＣＣ間での異なるギャップ設定により、より効率的な通信が可能になる。また、５Ｇの場合、新たなＲＡＴであるため、ＵＥは４Ｇ測定用と５Ｇ測定用其々の機能を有する可能性が有り、本機能を効果的に適用できる。
【０１０１】
（動作例４）
次に、動作例４を説明する。動作例４では、ＵＥが動作例１の動作を行う場合、すなわち、ＵＥがＴＴＩの長い方のＣＣにおけるギャップに従って、異なるＴＴＩのＣＣ間で共通のギャップを設定する場合において、短い方のＴＴＩに関連する測定対象の測定を行う際には、測定が完了し次第、設定されたギャップ期間よりも短い期間でギャップを終了する。なお、ここでの「終了する」は、終了したと見なすことを含む。ギャップの終了以降の期間においては必要な通信を行ってよい。
【０１０２】
具体例を図１８に示す。ＵＥとｅＮＢ（ＭｅＮＢ、ＳｅＮＢ）が、４Ｇ−ＣＣと５Ｇ−ＣＣを用いてＣＡを行う場合において、まず、ＵＥは、４ＧのＣＣに対して指定される期間（例：４Ｇ−ＴＴＩ×６）に合わせて５ＧのＣＣでもギャップを設定する。このギャップは図１８のＡ〜Ｂの期間である。
【０１０３】
本例では、例えば、ＵＥは、ｅＮＢ（ＭｅＮＢ又はＳｅＮＢ）から、５Ｇ側の周波数（例：５Ｇ−ＴＴＩのセル）の測定を指示されていることを想定する。ＵＥは、ギャップにおいて５Ｇ周波数を測定し、測定が完了し次第、設定されたギャップの期間よりも短い期間でギャップを終了させる。つまり、本例では、ＵＥは、図１８のＣで示す時点でギャップを終了し、その後はｅＮＢとの通信を可能とする。なお、「測定を完了した」とは、例えば、測定対象のセルの同期信号を捕捉し、セルの識別子を確認できたことである。また、「測定を完了した」とは、測定対象のセルの参照信号を受信し、ＲＳＲＰ／ＲＳＲＱの測定結果が得られたこと、としてもよい。
【０１０４】
５Ｇ−ＴＴＩが４Ｇ−ＴＴＩよりも短く、５Ｇも４Ｇと同程度のＴＴＩの数（例：６ＴＴＩ）で測定が可能な場合、５Ｇセルを測定する時間は４Ｇセルを測定する時間よりも短いと考えられるため、図１８に示すとおり、ギャップの途中で測定が完了すると考えられる。測定が完了すれば、ギャップは必要なくなるので、測定が完了した時点で、ギャップを終了することで、より効率的なギャップ設定を実現できる。
【０１０５】
図１８の例において、ｅＮＢ（ＭｅＮＢ又はＳｅＮＢ）は、ＵＥ側と同様に、Ｃ以降の時点で４Ｇと５Ｇの両方でギャップが終了すれば、Ｃ以降において、４Ｇ−ＣＣ及び５Ｇ−ＣＣを用いて通信を行うことができる。
【０１０６】
ただし、ｅＮＢ（ＭｅＮＢ又はＳｅＮＢ）における４Ｇ対応機能（既存機能）では、ＵＥにおいて４Ｇ側で自律的にギャップが終了されたことを認識することができないことが想定される。この場合、ＵＥは、図１８のＣ〜Ｂの期間で４Ｇでの通信はできない。一方、ｅＮＢ（ＭｅＮＢ又はＳｅＮＢ）において、新規機能となる５Ｇ対応機能では、Ｃの時点でギャップが終了されたことを把握できると考えられるため、５Ｇでは無駄なく通信が可能となる。
【０１０７】
（動作例５）
次に、動作例５を説明する。動作例５は、動作例４と同様に、ＵＥが動作例１の動作を行う場合を前提としている。動作例５では、ＵＥがＴＴＩの長い方のＣＣにおけるギャップに従って、異なるＴＴＩのＣＣ間で共通のギャップを設定する場合において、短い方のＴＴＩに関連する測定対象の測定を行う際には、ＵＥは、１つのギャップ期間において、複数の測定対象を測定する。
【０１０８】
具体例を図１９に示す。ＵＥとｅＮＢ（ＭｅＮＢ、ＳｅＮＢ）が、４Ｇ−ＣＣと５Ｇ−ＣＣを用いてＣＡを行う場合において、まず、ＵＥは、４ＧのＣＣに対して指定される期間（例：４Ｇ−ＴＴＩ×６）に合わせて５ＧのＣＣでもギャップを設定する。このギャップの期間は図１９のＡ〜Ｂの期間である。
【０１０９】
本例では、例えば、ＵＥは、ｅＮＢ（ＭｅＮＢ又はＳｅＮＢ）から、５Ｇ側の２つの周波数（例：５Ｇ−ＴＴＩの２つのセル）の測定を指示されていることを想定する。ＵＥは、ギャップにおける最初の期間（図１９のＡ〜Ｃの期間）で１つ目の５Ｇ周波数の測定を行い、次の期間（図１９のＣ〜Ｂの期間）で２つ目の５Ｇ周波数の測定を行う。
【０１１０】
動作例５では、複数の測定対象をより少ないギャップ回数で測定することができ、効率的な通信及びギャップ設定を実現できる。
【０１１１】
（動作例１〜５についての能力通知等について）
これまでに説明した動作例１〜５（変形例を含む）に関し、ＵＥは、動作を実行する能力の有無を表す能力情報（ｃａｐａｂｉｌｉｔｙ  ｉｎｆｏｒｍａｔｉｏｎ）をｅＮＢ（ＭｅＮＢ又はＳｅＮＢ）に対して通知することとしてもよい。
【０１１２】
ＵＥが能力情報の通知を行うタイミングとしては、通信開始時等のギャップ設定前であってもよいし、ギャップ設定に関連する動作が開始されたタイミングでもよい。ギャップ設定に関連する動作が開始されたタイミングは、例えば、４ＧでのｅｖｅｎｔＡ２  ｍｅａｓｕｒｅｍｅｎｔ開始指示を受信した場合や、ｅｖｅｎｔＡ２  ｍｅａｓｕｒｅｍｅｎｔを送信する場合である。
【０１１３】
ＵＥがｅＮＢ（ＭｅＮＢ又はＳｅＮＢ）に対して通知する能力情報の内容は、例えば、動作例ｎ（ｎは１〜５のいずれか又は複数）の動作の実行可否を示す情報、及び／又は、オプションの実行可否を示す情報等である。
【０１１４】
また、能力情報の通知は、ＵＥ単位でもよいし、ＲＡＴ単位でもよいし、ＲＡＴ内のＣＣ単位でも良いし、ＲＡＴ内の周波数単位でも良いし、ＲＡＴ内のｂａｎｄ単位でもよいし、ＲＡＴ内／間（ｉｎｔｒａ−ＲＡＴ／ｉｎｔｅｒ−ＲＡＴ）でのｂａｎｄ  ｃｏｍｂｉｎａｔｉｏｎ単位でもよい。
【０１１５】
また、ＵＥは、ｅＮＢ（ＭｅＮＢ又はＳｅＮＢ）から、当該ＵＥが対応していない（能力を有しない）動作についての設定（ｃｏｎｆｉｇｕｒａｔｉｏｎ）を受信した場合に、対応不可であることをｅＮＢ（ＭｅＮＢ又はＳｅＮＢ）に通知することとしてもよい。
【０１１６】
（装置構成）
＜ＵＥの構成＞
図２０に、これまでに説明した動作を実行するＵＥの構成例を示す。なお、図２０は、ＵＥにおいて本発明の実施の形態に特に関連する機能部のみを示すものである。
【０１１７】
図２０に示すように、本実施の形態のＵＥは、ＤＬ信号受信部１０１、ＵＬ信号送信部１０２、ＣＡ／ＤＣ管理部１０３、ギャップ制御部１０４、測定部１０５を有する。
【０１１８】
ＤＬ信号受信部１０１は、ｅＮＢ（ＭｅＮＢ、ＳｅＮＢ）から無線信号を受信し、無線信号から情報を抽出する。ＵＬ信号送信部１０２は、送信情報から無線信号を生成し、ｅＮＢ（ＭｅＮＢ、ＳｅＮＢ）に送信する。ＣＡ／ＤＣ管理部１０３は、ＣＡ／ＤＣを構成する各セル（ＣＣ）の管理（設定されているＣＣの識別情報及び状態の保持等）、追加、削除、アクティベート、ディアクティベート等を行う。
【０１１９】
ギャップ制御部１０４は、動作例１〜５（変形例を含む）で説明した動作を実行し、ギャップの設定（適用）を行う。また、ギャップ制御部１０４は、変形例で説明したように、ギャップ／ＴＴＩ間での境界のずれの検知、及びずれに対する対処処理の機能も含む。ギャップ制御部１０４により設定されたギャップの期間では、ＤＬ信号受信部１０１／ＵＬ信号送信部１０２はｅＮＢとの通信を行わない。より具体的には、ギャップ制御部１０４は、ギャップの開始時点でＤＬ信号受信部１０１／ＵＬ信号送信部１０２に対してｅＮＢ（ＭｅＮＢ、ＳｅＮＢ）との通信を停止する指示を行い、ギャップの終了時点でＤＬ信号受信部１０１／ＵＬ信号送信部１０２に対してｅＮＢ（ＭｅＮＢ、ＳｅＮＢ）との通信を再開する指示を行う。ただし、この動作は一例である。
【０１２０】
また、測定部１０４は、例えばｅＮＢ（ＭｅＮＢ、ＳｅＮＢ）からの指示に従って、ギャップの期間に測定対象（例：指定された周波数又はセルの受信電力及び／又は受信品質）の測定を行う。また、ギャップ制御部１０４が、能力情報を通知する機能を有してもよい。
【０１２１】
図２０に示すユーザ装置ＵＥの構成は、全体をハードウェア回路（例：１つ又は複数のＩＣチップ）で実現してもよいし、一部をハードウェア回路で構成し、その他の部分をＣＰＵとプログラムとで実現してもよい。
【０１２２】
図２１は、ユーザ装置ＵＥのハードウェア（ＨＷ）構成の例を示す図である。図２１は、図２０よりも実装例に近い構成を示している。図２１に示すように、ＵＥは、無線信号に関する処理を行うＲＥ（Ｒａｄｉｏ  Ｅｑｕｉｐｍｅｎｔ）モジュール１５１と、ベースバンド信号処理を行うＢＢ（Ｂａｓｅ  Ｂａｎｄ）処理モジュール１５２と、上位レイヤ等の処理を行う装置制御モジュール１５３と、ＵＳＩＭカードにアクセスするインタフェースであるＵＳＩＭスロット１５４とを有する。
【０１２３】
ＲＥモジュール１５１は、ＢＢ処理モジュール１５２から受信したデジタルベースバンド信号に対して、Ｄ／Ａ（Ｄｉｇｉｔａｌ−ｔｏ−Ａｎａｌｏｇ）変換、変調、周波数変換、及び電力増幅等を行うことでアンテナから送信すべき無線信号を生成する。また、受信した無線信号に対して、周波数変換、Ａ／Ｄ（Ａｎａｌｏｇ  ｔｏ  Ｄｉｇｉｔａｌ）変換、復調等を行うことでデジタルベースバンド信号を生成し、ＢＢ処理モジュール１５２に渡す。ＲＥモジュール１５１は、例えば、図２０のＤＬ信号受信部１０１及びＵＬ信号送信部１０２における物理レイヤ等の機能を含む。
【０１２４】
ＢＢ処理モジュール１５２は、ＩＰパケットとデジタルベースバンド信号とを相互に変換する処理を行う。ＤＳＰ（Ｄｉｇｉｔａｌ  Ｓｉｇｎａｌ  Ｐｒｏｃｅｓｓｏｒ）１６２は、ＢＢ処理モジュール１５２における信号処理を行うプロセッサである。メモリ１７２は、ＤＳＰ１６２のワークエリアとして使用される。ＢＢ処理モジュール１５２は、例えば、図２０のＤＬ信号受信部１０１及びＵＬ信号送信部１０２におけるレイヤ２等の機能、ＣＡ／ＤＣ管理部１０３、ギャップ制御部１０４、測定部１０５を含む。なお、ＣＡ／ＤＣ管理部１０３、ギャップ制御部１０４、測定部１０５の機能の全部又は一部を装置制御モジュール１５３に含めることとしてもよい。
【０１２５】
装置制御モジュール１５３は、ＩＰレイヤのプロトコル処理、各種アプリケーションの処理等を行う。プロセッサ１６３は、装置制御モジュール１５３が行う処理を行うプロセッサである。メモリ１７３は、プロセッサ１６３のワークエリアとして使用される。また、プロセッサ１６３は、ＵＳＩＭスロット１５４を介してＵＳＩＭとの間でデータの読出し及び書込みを行う。
【０１２６】
なお、図２０、図２１に示す装置の構成（機能区分）は一例に過ぎない。本実施の形態で説明する処理を実現できるのであれば、その実装方法（具体的な機能部の名称、配置等）は、特定の実装方法に限定されない。例えば、本実施の形態のＵＥ（ユーザ装置）は、下記のような手段からなる装置として構成することもできる。
【０１２７】
すなわち、本実施の形態におけるユーザ装置は、ＴＴＩの異なる少なくとも２つのキャリアを使用する移動通信システムにおいて、基地局と通信を行うユーザ装置であって、前記ユーザ装置が前記基地局との通信を行わない期間であるギャップを設定するギャップ制御手段を備え、前記ギャップ制御手段は、前記２つのキャリアのうちの一方のキャリアに対して設定するギャップと共通のギャップを、前記２つのキャリアのうちの他方のキャリアに対するギャップとして設定するユーザ装置として構成してもよい。
【０１２８】
上記の構成により、異なるＴＴＩが混在する移動通信システムにおいて、適切にギャップを設定することが可能となる。
【０１２９】
前記ギャップ制御手段は、前記２つのキャリアのうちＴＴＩの長い方のキャリアに対して設定するギャップと共通のギャップを、前記２つのキャリアのうちＴＴＩの短い方のキャリアに対するギャップとして設定することとしてもよい。この構成により、例えば、既存ＮＷ（４ＧのみＮＷ）におけるｍｏｂｉｌｉｔｙ品質等を劣化させることなく４Ｇ−ＣＣと５Ｇ−ＣＣを用いたＣＡが可能となる。
【０１３０】
前記ユーザ装置は、ギャップの期間中に所定のキャリアの測定を実施する測定手段を備え、前記ギャップ制御手段により設定されたギャップにおいて、前記測定手段が、測定を実行し、当該ギャップの期間が経過する前に当該測定を完了した時点で、前記ギャップ制御手段が当該ギャップを終了することとしてもよい。この構成により、効率的なギャップ設定が可能となる。
【０１３１】
また、前記ユーザ装置は、ギャップの期間中に所定のキャリアの測定を実施する測定手段を備え、前記ギャップ制御手段により設定されたギャップにおいて、前記測定手段は、複数の測定対象の測定を実行することとしてもよい。この構成により、より少ないギャップ回数で多くの測定対象を測定できるので、効率的な通信が可能となる。
【０１３２】
前記ギャップ制御手段は、前記２つのキャリアのうちＴＴＩの短い方のキャリアに対して設定するギャップと共通のギャップを、前記２つのキャリアのうちＴＴＩの長い方のキャリアに対するギャップとして設定することとしてもよい。この構成により、一例として、５Ｇに最適化されたギャップを実現でき、より高速な通信が可能となる。
【０１３３】
前記ＴＴＩの長い方のキャリアに対してギャップが設定されており、当該ギャップが前記ＴＴＩの短い方のキャリアに対するギャップよりも長い場合において、前記ギャップ制御手段は、前記ＴＴＩの長い方のキャリアに対するギャップの期間のうち、前記ＴＴＩの短い方のキャリアに対するギャップと重ならない期間を、前記ＴＴＩの長い方のキャリアに対するギャップと見なさないこととしてもよい。この構成により、効率的な通信が可能となる。
【０１３４】
また、本実施の形態におけるユーザ装置は、ＴＴＩの異なる少なくとも２つのキャリアを使用する移動通信システムにおいて、基地局と通信を行うユーザ装置であって、前記ユーザ装置が前記基地局との通信を行わない期間であるギャップを設定するギャップ制御手段を備え、前記ギャップ制御手段は、前記２つのキャリアのうちの一方のキャリアに対するギャップ設定指示を前記基地局から受信する場合に、当該ギャップ設定指示に基づいて、前記２つのキャリアのうちの他方のキャリアに対するギャップを設定するユーザ装置として構成してもよい。
【０１３５】
上記の構成により、異なるＴＴＩが混在する移動通信システムにおいて、適切にギャップを設定することが可能となる。
【０１３６】
前記２つのキャリアにおける一方のキャリアに対するギャップの開始端と終了端のうちの少なくとも１つの端が、他方のキャリアにおけるＴＴＩの境界と一致しない場合において、前記ギャップ制御手段は、前記他方のキャリアにおけるＴＴＩのうち前記ギャップの端を含むＴＴＩの全体を前記基地局との通信を行わない期間とすることとしてもよい。この構成により、ギャップ端／ＴＴＩ端間でずれがある場合でも適切にギャップを設定できる。
【０１３７】
また、前記２つのキャリアにおける一方のキャリアに対するギャップの開始端と終了端のうちの少なくとも１つの端が、他方のキャリアにおけるＴＴＩの境界と一致しない場合において、前記ギャップ制御手段は、前記他方のキャリアにおけるＴＴＩのうち前記ギャップの端を含むＴＴＩにおいて、前記ギャップと重ならない部分を通信可能な１つのＴＴＩと見なす、又は、前記ギャップと重ならない部分と当該部分に隣接するＴＴＩとを通信可能な１つのＴＴＩと見なすこととしてもよい。この構成によっても、ギャップ端／ＴＴＩ端間でずれがある場合でも適切にギャップを設定できる。
【０１３８】
＜ｅＮＢの構成＞
図２２に、これまでに説明した動作を実行するｅＮＢの構成例を示す。当該ｅＮＢは、基地局内ＣＡを実施するｅＮＢであってもよいし、ＤＣを実施するＭｅＮＢ又はＳｅＮＢであってもよい。また、図２２は、ｅＮＢにおいて本発明の実施の形態に特に関連する機能部のみを示すものである。
【０１３９】
図２２に示すように、本実施の形態のｅＮＢは、ＤＬ信号送信部２０１、ＵＬ信号受信部２０２、ＣＡ／ＤＣ管理部２０３、ギャップ指示制御部２０４、スケジューリング部２０５を有する。
【０１４０】
ＤＬ信号送信部２０１は、送信情報から無線信号を生成し、ＵＥに送信する。ＵＬ信号受信部２０２は、ＵＥから無線信号を受信し、無線信号から情報を抽出する。ＣＡ／ＤＣ管理部２０３は、ＣＡ／ＤＣを構成する各セル（ＣＣ）の管理（設定されているＣＣの識別情報及び状態の保持等）、追加、削除、アクティベート、ディアクティベート等を行う。
【０１４１】
ギャップ指示制御部２０４は、動作例１〜５（変形例を含む）で説明したＵＥ側のギャップ設定と同じギャップ設定動作を実行し、ギャップの期間中は、スケジューリングを停止するようスケジューリング部２０５に指示する。また、動作例１〜５（変形例を含む）において、ｅＮＢからＵＥに対して設定情報、動作指示等の送信を行う場合において、ギャップ指示制御部２０４は、当該ギャップ設定情報、動作指示等の送信を行う機能も有する。また、ギャップ指示制御部２０４は、ＵＥに対する測定指示を行う機能を含んでもよい。
【０１４２】
スケジューリング部２０５は、ギャップ指示制御部２０４から通知されたギャップ（ギャップと見なす期間がある場合、それを含む）の期間について、ＵＬ／ＤＬスケジューリングを行わない制御を行う。
【０１４３】
図２２に示す基地局ｅＮＢの構成は、全体をハードウェア回路（例：１つ又は複数のＩＣチップ）で実現してもよいし、一部をハードウェア回路で構成し、その他の部分をＣＰＵとプログラムとで実現してもよい。
【０１４４】
図２３は、基地局ｅＮＢのハードウェア（ＨＷ）構成の例を示す図である。図２３は、図２２よりも実装例に近い構成を示している。図２３に示すように、基地局ｅＮＢは、無線信号に関する処理を行うＲＥモジュール２５１と、ベースバンド信号処理を行うＢＢ処理モジュール２５２と、上位レイヤ等の処理を行う装置制御モジュール２５３と、ネットワークと接続するためのインタフェースである通信ＩＦ２５４とを有する。
【０１４５】
ＲＥモジュール２５１は、ＢＢ処理モジュール２５２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール２５２に渡す。ＲＥモジュール２５１は、例えば、図２２のＤＬ信号送信部２０１及びＵＬ信号受信部２０２における物理レイヤ等の機能を含む。
【０１４６】
ＢＢ処理モジュール２５２は、ＩＰパケットとデジタルベースバンド信号とを相互に変換する処理を行う。ＤＳＰ２６２は、ＢＢ処理モジュール２５２における信号処理を行うプロセッサである。メモリ２７２は、ＤＳＰ２５２のワークエリアとして使用される。ＢＢ処理モジュール２５２は、例えば、図２２のＤＬ信号送信部２０１及びＵＬ信号受信部２０２におけるレイヤ２等の機能、ＣＡ／ＤＣ管理部２０３、ギャップ指示制御部２０４、スケジューリング部２０５を含む。なお、ＣＡ／ＤＣ管理部２０３、ギャップ指示制御部２０４、スケジューリング部２０５の機能の全部又は一部を装置制御モジュール２５３に含めることとしてもよい。
【０１４７】
装置制御モジュール２５３は、ＩＰレイヤのプロトコル処理、ＯＡＭ処理等を行う。プロセッサ２６３は、装置制御モジュール２５３が行う処理を行うプロセッサである。メモリ２７３は、プロセッサ２６３のワークエリアとして使用される。補助記憶装置２８３は、例えばＨＤＤ等であり、基地局ｅＮＢ自身が動作するための各種設定情報等が格納される。
【０１４８】
なお、図２２、図２３に示す装置の構成（機能区分）は一例に過ぎない。本実施の形態で説明する処理を実現できるのであれば、その実装方法（具体的な機能部の名称、配置等）は、特定の実装方法に限定されない。例えば、本実施の形態のｅＮＢ（基地局）は、下記のような手段からなる装置として構成することもできる。
【０１４９】
すなわち、本実施の形態に係る基地局は、例えば、ＴＴＩの異なる少なくとも２つのキャリアを使用する移動通信システムにおいて、ユーザ装置と通信を行う基地局であって、前記ユーザ装置が前記基地局との通信を行わない期間であるギャップに関する指示を前記ユーザ装置に送信するギャップ指示手段を備え、前記ギャップ指示手段は、前記ユーザ装置に対して、第１のギャップ動作又は第２のギャップ動作の指示を送信し、前記ユーザ装置は、前記第１のギャップ動作の指示を受信した場合に、前記２つのキャリアのうちＴＴＩの長い方のキャリアに対して設定するギャップと共通のギャップを、前記２つのキャリアのうちＴＴＩの短い方のキャリアに対するギャップとして設定し、前記ユーザ装置は、前記第２のギャップ動作の指示を受信した場合に、前記２つのキャリアのうちＴＴＩの短い方のキャリアに対して設定するギャップと共通のギャップを、前記２つのキャリアのうちＴＴＩの長い方のキャリアに対するギャップとして設定する、基地局として構成することができる。
【０１５０】
上記の構成により、異なるＴＴＩが混在する移動通信システムにおいて、適切にギャップを設定することが可能となる。
【０１５１】
なお、上記の各装置の構成における「手段」を、「部」、「回路」、「デバイス」等に置き換えてもよい。
【０１５２】
本実施の形態で説明するＵＥの機能構成は、ＣＰＵとメモリを備えるＵＥにおいて、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０１５３】
本実施の形態で説明するｅＮＢの機能構成は、ＣＰＵとメモリを備えるｅＮＢにおいて、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０１５４】
以上、本発明の各実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ＵＥ及びｅＮＢは機能的なブロック図を用いて説明されたが、そのような各装置はハードウェアで、ソフトウェアで又はそれらの組み合わせで実現されてもよい。本発明に従って動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【０１５５】
本特許出願は２０１５年８月２１日に出願した日本国特許出願第２０１５−１６４２５８号に基づきその優先権を主張するものであり、日本国特許出願第２０１５−１６４２５８号の全内容を本願に援用する。
【符号の説明】
【０１５６】
ＵＥ  ユーザ装置
ｅＮＢ、ＭｅＮＢ、ＳｅＮＢ  基地局
１０１  ＤＬ信号受信部
１０２  ＵＬ信号送信部
１０３  ＣＡ／ＤＣ管理部
１０４  ギャップ制御部
１０５  測定部
１５１  ＲＥモジュール
１５２  ＢＢ処理モジュール
１５３  装置制御モジュール
１５４  ＵＳＩＭスロット
２０１  ＤＬ信号送信部
２０２  ＵＬ信号受信部
２０３  ＣＡ／ＤＣ管理部
２０４  測定制御部
２０５  スケジューリング部
２５１  ＲＥモジュール
２５２  ＢＢ処理モジュール
２５３  装置制御モジュール
２５４  通信ＩＦ
【図１】
2017033568.tif 000003
【図２】
2017033568.tif 000004
【図３】
2017033568.tif 000005
【図４】
2017033568.tif 000006
【図５】
2017033568.tif 000007
【図６】
2017033568.tif 000008
【図７】
2017033568.tif 000009
【図８】
2017033568.tif 000010
【図９】
2017033568.tif 000011
【図１０】
2017033568.tif 000012
【図１１】
2017033568.tif 000013
【図１２】
2017033568.tif 000014
【図１３】
2017033568.tif 000015
【図１４】
2017033568.tif 000016
【図１５】
2017033568.tif 000017
【図１６】
2017033568.tif 000018
【図１７】
2017033568.tif 000019
【図１８】
2017033568.tif 000020
【図１９】
2017033568.tif 000021
【図２０】
2017033568.tif 000022
【図２１】
2017033568.tif 000023
【図２２】
2017033568.tif 000024
【図２３】
2017033568.tif 000025
【国際調査報告】
2017033568.tif 000026
2017033568.tif 000027
2017033568.tif 000028
2017033568.tif 000029